(57)【要約】【課題】本発明は、ブロック舗装の保水が長時間持続でき、かつ透水性舗装の機能をも併せて確保できる保水性ブロック舗装システムを提供することにある。【解決手段】長時間保水が持続でき、同時に透水性舗装の機能をも併せて確保できる保水性ブロック舗装システムを提供する舗装システムとして、水タンクに接続する保水性の吸水マットが毛細現象機能を有する保水性ブロック舗装面下に所定の間隔で縞状に敷設され、目地が目地砂を使用しない空目地であり、ないしは部分的に透水性ブロックが敷設されていて、毛細現象、サイホンないしは水頭差により水タンクより吸水マットに緩やかに水が補給され、その水が毛細現象によってブロックに補給され、雨水は、空目地ないしは透水性ブロックより浸透して、吸水マットが敷設されていない個所を通して路盤に浸透することにより透水性舗装の機能を有する持続的な保水性ブロック舗装システムを構成している。【選択図】  図２
2004162448.tif 000002
【特許請求の範囲】
【請求項１】
路盤層を形成した後、該路盤層の上にサンドクッション層を形成する路盤形成工程とこの路盤形成後にサンドクッション層の上部に保水性の吸水マットを所定の間隔を開けながら縞状に敷設し、その上に毛細現象能力を有する保水性ブロックを敷設し、目地材を使用しない空目地とし、ないしは部分的に透水性ブロックを使用し、吸水マットは水タンクに接続されていて、雨水は空目地ないしは部分的に敷設された透水性ブロックから浸透し、吸水マットが敷かれていない個所から路盤に浸透し、一方水タンクの水は、毛細現象ないしはサイホンの原理ないしは水頭差により保水性の吸水マットに導かれ、吸水マットの水は、保水性ブロックの毛細現象を利用してブロックに供給され、ブロック内部の水が蒸発するときの気化熱で周辺温度を低下させる透水性舗装と持続型保水性ブロック舗装の両方の機能を備えることを特徴とする保水性ブロック舗装システム。
【発明の詳細な説明】
【０００１】
【発明が属する技術分野】
本発明は、保水性ブロック舗装システムに関する。
【０００２】
【従来の技術】
従来の保水性ブロック舗装は、保水性のブロックを用いて、雨水をブロックに保水させる舗装方法が使用されている。
【０００３】
【発明が解決しようとする課題】
保水性ブロック舗装は、歩道又は歩車兼用道路において、雨水を一旦ブロック表層に保水し、保水した水が蒸発するときの気化熱を利用して周辺温度の低下を図り、ヒートアイランドの緩和対策を目的とした舗装である。従来の保水性ブロック舗装には，保水した水がすぐに蒸発してしまい持続的な保水ができないこと、保水性ブロック舗装は、透水性能が低く透水性舗装としての機能、すなわちブロック表面の水溜りの防止（バリアフリー対策）ができない、雨水を貯留する能力が低く、雨水を一時貯留する（都市河川負担軽減対策）ことができないなどの問題を有している。
【０００４】
本発明は以上のような従来の欠点に鑑み、持続的な保水あるいは保水期間の長い保水性ブロック舗装の提供と透水性舗装の機能をも併せて備える保水性ブロック舗装システムを提供することを目的としている。
【０００５】
本発明の前記ならびにそのほかの目的と新規な特長は次の説明を添付図面と照らし合わせて読むとより完全に明らかになるであろう。ただし、図面はもっぱら解説のためのものであって、本発明の技術的範囲を限定するものではない。
【０００６】
【課題を解決するための手段】
上記の目的を解決するために、即ち、長期間あるいは持続的な保水が可能な保水性ブロック舗装、および保水性舗装と同時に透水性機能を備えた保水性ブロック舗装を提供するシステムとして、保水性ブロック舗装面の下部に保水性の吸水マットを所定の間隔で縞状に敷設し，吸水マットを水タンクに接続し、目地を目地砂を用いない空目地とし、ないしは部分的に透水性ブロックを使用し、雨水は、空目地ないしは部分的に敷設された透水性ブロックから浸透し、吸水マットに保水され、余分な雨水は、吸水マットが敷かれていない保水性ブロック下面から路盤に浸透し、水タンクの水は、毛細現象とサイホンの原理ないしは水頭差により吸水マットにゆっくりと導かれ、吸水マットの水は保水性ブロックの毛細現象により保水性ブロックに供給されるブロックの保水が長期間持続し、かつ透水性ブロック舗装の機能も併せて保有する保水性ブロック舗装システムを構成している。
【０００７】
【発明の実施の形態】
以下、図面に示す実施の形態により、本発明を詳細に説明する。
【０００８】
図１は、従来の保水性ブロック舗装を説明する図である。従来の保水性舗装は、フィルター層１１の上の路盤１２の上に透水シート１３が敷かれ、その上にサンドクッション１４が敷きならされ、その上に保水性ブロック１５が敷設され、目地１６に目地砂が詰められる。雨水１７は、保水性ブロック１５の内部に間隙保水１８として蓄えられ、ブロックに蓄えられた水が蒸発１９するときの気化熱を利用して周辺温度を低下させることを目的としいる。またこのとき余分な雨水は表面排水１１０される。従来の保水性ブロック舗装は、雨水を路盤に浸透させてブロック表面の水溜まりを防ぐ機能および路盤に雨水を浸透させて一時的に貯水して都市河川の負担低減を図る透水性舗装としての機能がないことおよび保水性ブロックの保水量は１〜２日分の蒸発量しかなく極めて短期に保水性舗装としての機能が失われる等の問題を有している。
【０００９】
図２は、本発明の保水性ブロック舗装システムの一例である。歩道脇のベンチ２１の台として水タンク２２が設置され、フィルター層２３の上の路盤２４に透水シート２５が敷かれ、その上にサンドクッション２６が敷きならされ、その上に保水性の吸水マット２７が所定の間隔で縞状に敷設され、その上に毛細現象機能を有する保水性ブロック２８が敷設され、目地２９は目地砂が詰められない空目地である。水タンク２２の水２１０は、吸水マット２７の毛細現象２１１およびサイホン２１２の原理ないしは水頭差２１７によってブロック下面に敷かれている保水マットに緩やかに補給２１３され、保水マットの水は保水性ブロックの毛細現象によってブロックに移管２１４され、ブロック中の水は蒸発２１５してそのときの気化熱により周辺温度の低下を図り、長期間保水性を維持する保水性ブロック舗装が得られる。このとき、水タンクへの給水設備も併せて設置することにより継続的な保水性ブロック舗装が得られる。一方雨水２１６は、保水性ブロックに浸透し、余分な雨水は目地砂が詰められていない空目地から浸透し、ブロック底面に吸水マットが敷かれていない個所を通して路盤に浸透する。これにより、ブロック舗装面の水溜まりを防ぎ、路盤に雨水を一時貯留して都市河川の負担を軽減する透水性ブロック舗装としての機能を発揮する。本発明の保水性ブロック舗装システムは、透水性舗装の機能を備えた長期ないしは継続的な保水性ブロック舗装を提供する。
【００１０】
図３は、本発明の保水性ブロック舗装システムの別の例である。歩道脇のフラワーポット３１の台として水タンク３２が設置され、フィルター層３３の上の路盤３４に透水シート３５が敷かれ、その上にサンドクッション３６が敷きならされ、その上に保水性の吸水マット３７が所定の間隔で縞状に敷設され、その上に毛細現象機能を有する保水性ブロック３８が敷設され、また一部に透水性ブロック３９が敷設される。水タンク３２の水３１０は、吸水マット３７の毛細現象３１１およびサイホン３１２の原理ないしは水頭差３１７によってブロック下面に敷かれている保水マットに緩やかに補給３１３され、保水マットの水は保水性ブロックの毛細現象によってブロックに移管３１４され、ブロック中の水は蒸発３１５してそのときの気化熱により周辺温度の低下を図り、長期間保水性を維持する保水性ブロック舗装が得られる。このとき、水タンクへの給水設備も併せて設置することにより継続的な保水性ブロック舗装が得られる。一方雨水３１６は、保水性ブロックに浸透し、余分な雨水は部分的に敷設された透水性ブロック３９から浸透し、ブロック底面に吸水マットが敷かれていない個所を通して路盤に浸透する。これにより、ブロック舗装面の水溜まりを防ぎ、路盤に雨水を一時貯留して都市河川の負担を軽減する透水性ブロック舗装としての機能を発揮する。本発明の保水性ブロック舗装システムは、透水性舗装の機能を備えた長期ないしは継続的な保水性ブロック舗装を提供する。
【発明の効果】
以上の説明から明らかなように、本発明にあたっては次に列挙する効果が得られる。
【００１１】
水タンクに接続する保水性の吸水マットが毛細現象機能を有する保水性ブロック舗装面下に所定の間隔で縞状に敷設され、目地が目地砂を使用しない空目地であり、ないしは部分的に透水性ブロックが敷設された保水性ブロック舗装システムからなるので、水タンクの水は、吸水マットの毛細現象およびサイホンの原理ないしは水頭差によってブロック下面に敷かれている保水マットに緩やかに補給され、保水マットの水は保水性ブロックの毛細現象によってブロックに移管され、ブロック中の水は蒸発してそのときの気化熱により周辺温度の低下を図り、長期間保水性を維持する保水性ブロック舗装が得られる。このとき、水タンクへの給水設備も併せて設置することにより継続的な保水性ブロック舗装が得られる。一方雨水は、保水性ブロックに浸透し、余分な雨水は、目地砂を使用しない空目地ないしは部分的に敷設された透水性ブロックから浸透し、ブロック底面に吸水マットが敷かれていない個所を通して路盤に浸透し、ブロック舗装面の水溜まりを防ぎ、路盤に雨水を一時貯留して都市河川の負担を軽減する透水性ブロック舗装としての機能を発揮する。これにより、本発明の保水性ブロック舗装システムは、透水性舗装の機能を備えた保水時間が長時間持続または継続する保水性ブロック舗装を提供し、ヒートアイランドの緩和、水溜まりの起きないバリアフリーな舗装の提供および雨水を一時貯留して都市河川の負担低減に効果を示す。
【図面の簡単な説明】
【図１】従来の保水性ブロック舗装構造の説明図。
【図２】本発明の保水性ブロック舗装システムの説明図。
【図３】本発明の保水性ブロック舗装システムの説明図。
【符号の説明】
１１、２３、３３、フィルター層
１２、２４、３４、砕石路盤
１３、２５、３５、透水シート
１４、２６、３６、サンドクッション
１５、２８、３８、保水性ブロック
３９、透水性ブロック
１６、２９、目地
２７、３７、吸水マット
２２、３２、水タンク
２１０、３１０、水タンクの水
１７、２１６、３１６、雨水
１８、保水
１９、２１５、３１５、蒸発
１１０、表面排水
２１１、２１４、３１１、３１４、毛細現象
２１２、３１２、サイホン
２１７、３１７、水頭差
２１３、３１３、補給
２１、ベンチ
３１、フラワーポット
【図１】
2004162448.tif 000003
【図２】
2004162448.tif 000004
【図３】
2004162448.tif 000005